(57)【要約】【課題】照明光用制御ソフトウェアを豊富化する照明システムを提供する。【解決手段】照明システム５は、制御信号により指示された制御パラメータの値で照明光を照射する照明器具１６と、制御パラメータの値を指示する記述を含む制御ソフトウェア３４と、制御ソフトウェア３４を実行して制御信号を送信する制御部とを備える。制御ソフトウェア３４は、複数の制御ソフトウェア３４に対して共通となっている主ソフトウェア部分３５と、公開された記述形式で制御パラメータの値を記述した副ソフトウェア部分４５とから成る。【選択図】図１
2015064984.tif 000002
【特許請求の範囲】
【請求項１】
制御信号を受信して該制御信号により指示された制御パラメータの値に従って照明光を照射する照明器具と、
前記照明器具に対して前記制御パラメータの値を指示する記述を含む制御ソフトウェアと、
前記制御ソフトウェアを実行することにより前記制御ソフトウェアから出される指令を受けて、前記記述に対応する制御信号を生成し、生成した制御信号を前記照明器具に送信する制御部とを備え、
前記制御ソフトウェアは、複数の制御ソフトウェアに対して共通に含まれ前記指令を出す主ソフトウェア部分と、前記記述を公開されている記述形式で表した副ソフトウェア部分とから成り、
前記主ソフトウェア部分は、前記制御部による前記制御ソフトウェアの実行時に、前記副ソフトウェア部分に含まれる前記記述を解釈して、その解釈に基づいて前記指令を出すことを特徴とする照明システム。
【請求項２】
請求項１記載の照明システムにおいて、
前記副ソフトウェア部分は、公開されたプログラミング言語により作成されたコードから成り、前記副ソフトウェア部分の前記記述には、前記制御パラメータの値と共に、前記制御パラメータの値で前記照明器具の照明光を照射する際の制御順序が含まれていることを特徴とする照明システム。
【請求項３】
請求項２記載の照明システムにおいて、
前記副ソフトウェア部分の前記記述には、複数の照明器具の照明光を個別にかつ並行して制御する処理が含まれていることを特徴とする照明システム。
【請求項４】
請求項３記載の照明システムにおいて、
環境の状態を検出するセンサが配備され、
前記副ソフトウェア部分の前記記述は、制御パラメータの値を前記センサの検出値に基づいて設定していることを特徴とする照明システム。
【請求項５】
請求項１〜４のいずれか１項に記載の照明システムにおいて、
前記副ソフトウェア部分は、インターネット上の所定のサーバからダウンロードされ、前記制御部がアクセス可能なメモリに格納されることを特徴とする照明システム。
【請求項６】
請求項１〜５のいずれか１項に記載の照明システムにおいて、
前記制御パラメータは、照明光の色、照度、配光及び向き、並びにパラメータ値の実行時刻のうちの１以上を含むことを特徴とする照明システム。
【発明の詳細な説明】
【技術分野】
【０００１】
本発明は、ソフトウェアに基づいて照明器具を制御する照明システムに関する。
【背景技術】
【０００２】
制御装置が、お目覚めソフト、リラックスソフト、生体リズムソフト等の制御ソフトウェアのうちからユーザが選択した制御ソフトウェアを実行して、照明器具へ制御信号を送信することにより、照明器具を制御ソフトウェアが指示する制御パラメータで制御する照明システムが知られている（例：特許文献１）。
【先行技術文献】
【特許文献】
【０００３】
【特許文献１】特開２００５−２１６５３４号公報
【発明の概要】
【発明が解決しようとする課題】
【０００４】
このような照明システムで使用する従来の制御ソフトウェアは、照明器具の製造者が、自分の照明器具専用に開発したものであり、照明器具の出荷時に照明器具に添付して顧客に提供している。このため、ユーザにとっては、制御ソフトウェアが限られたものしかない状況となっている。
【０００５】
本発明の目的は、照明光用制御ソフトウェアの豊富化を促進することができる照明システムを提供することである。
【課題を解決するための手段】
【０００６】
本発明の照明システムは、制御信号を受信して該制御信号により指示された制御パラメータの値に従って照明光を照射する照明器具と、前記照明器具に対して前記制御パラメータの値を指示する記述を含む制御ソフトウェアと、前記制御ソフトウェアを実行することにより前記制御ソフトウェアから出される指令を受けて、前記記述に対応する制御信号を生成し、生成した制御信号を前記照明器具に送信する制御部とを備え、前記制御ソフトウェアは、複数の制御ソフトウェアに対して共通に含まれ前記指令を出す主ソフトウェア部分と、前記記述を公開されている記述形式で表した副ソフトウェア部分とから成り、前記主ソフトウェア部分は、前記制御部による前記制御ソフトウェアの実行時に、前記副ソフトウェア部分に含まれる前記記述を解釈して、その解釈に基づいて前記指令を出すことを特徴とする。
【０００７】
本発明によれば、制御ソフトウェアは、制御部に指令を出す主ソフトウェア部分と、制御パラメータの値を指示する記述を含む副ソフトウェア部分とから成る。そして、副ソフトウェア部分の記述を表す記述形式は公開されている。このため、ユーザを含む多数のソフトウェア作成者が、副ソフトウェア部分の作成に関与して、照明器具の照射光を種々に制御可能な制御ソフトウェアを作成することができるので、照明光用制御ソフトウェアの豊富化を促進することができる。
【０００８】
本発明の照明システムにおいて、前記副ソフトウェア部分は、公開されたプログラミング言語により作成されたコードから成り、前記副ソフトウェア部分の前記記述には、前記制御パラメータの値と共に、前記制御パラメータの値で前記照明器具の照明光を照射する際の制御順序が含まれていることが好ましい。
【０００９】
この構成によれば、ユーザを含む多数のソフトウェア作成者が、公開されたプログラミング言語を使って、制御パラメータの値で照明器具の照明光を照射する際の制御順序が含むことができる副ソフトウェア部分を作成することができる。この結果、魅力のある照明光用制御ソフトウェアを豊富化することができる。
【００１０】
本発明の照明システムにおいて、前記副ソフトウェア部分の前記記述には、複数の照明器具の照明光を個別にかつ並行して制御する処理が含まれていることが好ましい。
【００１１】
この構成によれば、複数の照明器具の照明光を個別にかつ並行して制御することができる副ソフトウェア部分を作成することができる。この結果、魅力のある照明光用制御ソフトウェアを豊富化することができる。
【００１２】
本発明の照明システムにおいて、環境の状態を検出するセンサが配備され、前記副ソフトウェア部分の前記記述は、制御パラメータの値を前記センサの検出値に基づいて設定していることが好ましい。
【００１３】
この構成によれば、環境の状態に応じて照明器具の照明光を制御することができる副ソフトウェア部分を作成することができる。この結果、魅力のある照明光用制御ソフトウェアを豊富化することができる。
【００１４】
本発明の照明システムにおいて、前記副ソフトウェア部分は、インターネット上の所定のサーバからダウンロードされ、前記制御部がアクセス可能なメモリに格納されることが好ましい。
【００１５】
この構成によれば、ユーザは、好みの副ソフトウェア部分を能率的に入手することができる。
【００１６】
本発明の照明システムにおいて、前記制御パラメータは、照明光の色、照度、配光及び向き、並びにパラメータ値の実行時刻のうちの１以上を含むことが好ましい。
【００１７】
この構成によれば、種々の制御パラメータにより照明器具を制御して、ユーザにとり魅力のある照明光制御を実現することができる。
【図面の簡単な説明】
【００１８】
【図１】照明光制御ソフトウェア配布システムの全体概略図。
【図２】制御ソフトウェアの構成図。
【図３】照明器具の構成図。
【図４】制御器による照明光制御のフローチャート。
【発明を実施するための形態】
【００１９】
図１を参照して、照明光制御ソフトウェア配布システム１の概略を説明する。各家庭に構築される照明システム５は、照明光制御ソフトウェア配布システム１に含まれる。照明光制御ソフトウェア配布システム１は、照明システム５の他に、主構成要素として、インターネット２、主ソフトウェア部分提供サーバ３及び副ソフトウェア部分提供サーバ４を備える。
【００２０】
主ソフトウェア部分提供サーバ３は、照明器具１６の製造者が責任者となって運営されている。主ソフトウェア部分提供サーバ３は、照明器具の制御に用いる制御ソフトウェア３４（図２参照）のうち、主ソフトウェア部分３５を、照明システム５のユーザからのダウンロード要求に従い、インターネット２を介して照明システム５に配布する。複数の副ソフトウェア部分提供サーバ４は、所定の責任者により運営され、照明光の制御に用いる制御ソフトウェア３４（図２参照）のうち、所定の作成者が作成した副ソフトウェア部分４５を、照明システム５のユーザからのダウンロード要求に従いインターネット２を介して照明システム５に配布する。
【００２１】
照明システム５は、ユーザの家庭に配備され、インターネット２の接続環境を有している。スマートホン１０は、ユーザが所有し、公衆データ回線を介してインターネット２に接続される。パソコン１１は、家庭に配備されたルータ１２を介してインターネット２へ接続されている。スマートホン１０及びパソコン１１は、インターネット２を介して、主ソフトウェア部分提供サーバ３からは主ソフトウェア部分３５のファイルを、また、副ソフトウェア部分提供サーバ４からは副ソフトウェア部分４５のファイルを自機の内蔵又は外付けの不揮発性メモリ内にダウンロードすることができる。
【００２２】
制御器１５は、家庭の部屋の壁等に取付けられ、室内の１以上の照明器具１６を赤外線等の無線により制御する。図１では、照明器具１６の例としてシーリング型照明器具１６ａ及び吊り下げ型照明器具１６ｂの２つの照明器具１６が示されている。以降、各照明器具を総称するときは、「照明器具１６」を使用する。
【００２３】
複数の照明器具１６は、同種の照明器具を室内の異なる位置に配備してもよいし、異なる種類の照明器具を異なる位置に配備してもよい。なお、照明器具１６の位置には、水平方向の位置だけでなく、鉛直方向の位置も含む。
【００２４】
家庭の部屋の例として、居間、寝室、書斎、台所等がある。部屋の種類に応じて、照明器具１６の種類や個数や位置を選定することができる。
【００２５】
各照明器具１６は、制御器１５から、制御パラメータの値に係る制御信号を受信して、該制御パラメータの値に対応付けられる制御態様で制御される。
【００２６】
各照明器具１６は、制御器１５から受信した制御信号に含まれる複数の制御パラメータの値で照明光を照射する。各照明器具１６の照射光ごとに照射する制御パラメータは異なっていてもよい。制御パラメータの具体例は、照明の色、照明の照度、配光、及び照明の向きのうちの１つ以上、さらに、それらに制御の開始時刻や終了時刻を含めた全部のうちの１以上である。
【００２７】
例えば、制御パラメータが色であるとき、制御パラメータの値として、例えば、赤、青、緑等が指定される。制御パラメータが照射方向であるとき、制御パラメータの値として、例えば基準線又は基準面に対する照射方向の角度が指定される。基準線又は基準面は、例えば、照明器具１６の照射光の制御角度範囲の中心線や中心面に設定されてもよいし、例えば照明器具１６の中心から真北及び真上の方向に対する角度で設定されてもよい。制御パラメータが制御開始時刻であるとき、制御パラメータの値として、６：５９ａ．ｍ．等の具体的な時刻が指定される。
【００２８】
複数の制御パラメータの値がセットとして設定されてもよい。例えば、（照度の値，時刻の値）として、（１００ｌｕｘ，７：００ａ．ｍ．）である。（１００ｌｕｘ，７：００ａ．ｍ．）は、例えば、照明器具１６の照度を、７：００ａ．ｍ．に１００ｌｕｘに切替える記述と、解釈される。
【００２９】
気温センサ２０、日射しセンサ２１及びマイクロホン２２は、室内又は室外の環境の状態を検出するセンサの一例である。なお、室外には、屋内の室外と屋外とが含まれる。気温センサ２０は、室内の気温を検出する。日射しセンサ２１は、この例では室内に入り込む陽射しを検出しているが、窓の外に配備されて、屋外の日射しを検出するようにしてもよい。マイクロホン２２は、この例では、室内に配備されて、ノイズや会話の音量を検出する。
【００３０】
楽曲プレーヤ２７は、スマートホン１０や携帯式ＤＡＰ（Digital Audio Player）を着脱自在に装着され、スマートホン１０等のメモリに格納されている楽曲を制御器１５からの制御信号に基づいて所定の楽曲を選択して、再生開始したり、再生終了したりすることができる。楽曲プレーヤ２７は、典型的には、スマートホン１０等の充電器を兼ねる。制御器１５が、ブルーツース（登録商標）により、スマートホン１０を制御して、スマートホン１０内の楽曲の再生音をスマートホン１０のスピーカから出力できるようにしてもよい。
【００３１】
図２は、制御ソフトウェア３４の構成図である。１つの制御ソフトウェア３４は、１つの主ソフトウェア部分３５と１つの副ソフトウェア部分４５とから成る。制御ソフトウェア３４は、制御器１５により実行される。制御器１５は、制御ソフトウェア３４を実行することにより制御ソフトウェア３４から指令を受けて、該指令に基づく制御信号を生成し、生成した制御信号を照明器具１６に送信する。
【００３２】
主ソフトウェア部分３５は、複数の制御ソフトウェア３４に対して共通に含まれ、制御器１５に対して指令を出す。主ソフトウェア部分３５は、制御器１５の内蔵メモリ（内蔵メモリには、ＲＯＭを含む。）に書込まれる。
【００３３】
副ソフトウェア部分４５は、製品としての制御ソフトウェア３４を区別するタイトル（ソフトウェアの名称）ごとに異なるものとして制御ソフトウェア３４に含まれる。副ソフトウェア部分４５は、制御パラメータの値を指示する記述を含む。副ソフトウェア部分４５は、制御器１５の不揮発性の内蔵メモリに書込まれてもよいし、制御器１５に着脱自在に装着されて、装着時には制御器１５のＣＰＵがアクセス可能となる外付けの不揮発性メモリに書込まれてもよい。
【００３４】
副ソフトウェア部分４５は、公開されたプログラミング言語により作成されたコードから成る。このことは、制御パラメータの値を指示する記述を公開されている記述形式で表したことも意味する。副ソフトウェア部分４５をプログラミング言語により記述することにより、制御パラメータの値と共に、制御パラメータの値で照明器具１６の照明光を照射する際の制御順序についての記述も、副ソフトウェア部分４５内に含めることができる。
【００３５】
この結果、多数のプログラマーが、作成者として、記述を公開されている記述形式で表した該コードを使って、任意の副ソフトウェア部分４５を作成することができる。この結果、制御ソフトウェア３４のタイトル数が増大し、制御ソフトウェア３４の豊富化が図られる。
【００３６】
副ソフトウェア部分４５の作成者には、自宅に照明システム５を有するユーザ自身が含まれてもよい。プログラム作成についてのスキルのないユーザ自身が副ソフトウェア部分４５を作成できるようにするために、副ソフトウェア部分４５は、制御パラメータ及びその値の指定のみとするように、制御ソフトウェア３４を構築することができる。その場合、制御ソフトウェア３４の全体の処理内容のうち主ソフトウェア部分３５の受け持つ割合が増大する。
【００３７】
制御器１５は、制御ソフトウェア３４の実行指示に伴い、主ソフトウェア部分３５及び副ソフトウェア部分４５を読み込んで、制御ソフトウェア３４から指令を受けて、記述に対応する制御信号を生成し、生成した制御信号を照明器具１６に送信する。制御器１５は、制御ソフトウェア３４の実行の際、主ソフトウェア部分３５から先に実行する。主ソフトウェア部分３５は、その実行に伴い、副ソフトウェア部分４５の記述を参照して、記述を解釈して、その解釈に基づいて指令を制御器１５に出す。制御器１５は、この指令に従って、副ソフトウェア部分４５の記述に対応する制御信号を生成し、照明器具１６に送信する。
【００３８】
主ソフトウェア部分３５の第１の配付形式は、制御器１５及び照明器具１６の製造者が、主ソフトウェア部分３５を内蔵メモリに格納した制御器１５を販売することである。制御器１５は、照明器具１６と一緒に販売したり、別途に販売される。
【００３９】
主ソフトウェア部分３５の第２の配付形式は、インターネット２を経由するものである。この場合、ユーザは、インターネット２上の主ソフトウェア部分提供サーバ３に対して自分のスマートホン１０やパソコン１１等のネット端末から主ソフトウェア部分３５のダウンロード要求を出す。
【００４０】
これに対し、主ソフトウェア部分提供サーバ３は、インターネット２経由で主ソフトウェア部分３５をファイル形式でネット端末の内蔵又は外付けの不揮発性メモリにダウンロードする。ユーザは、ネット端末の内蔵メモリに記録された主ソフトウェア部分３５については、家庭内ＬＡＮを介して制御器１５の内蔵メモリに転送する。ユーザは、ネット端末の内蔵メモリに記録された主ソフトウェア部分３５については、そのデータを、ネット端末に着脱自在である不揮発性メモリにネット端末の内蔵メモリから移し、次に、該不揮発性メモリをネット端末のドライブから外し、その後、制御器１５のドライブに外付けメモリとして装着することになる。
【００４１】
副ソフトウェア部分４５の配付形式は、主ソフトウェア部分３５の第２の配付形式と同一である。ただし、配付元は、各副ソフトウェア部分提供サーバ４となる。
【００４２】
主ソフトウェア部分３５は、副ソフトウェア部分読込み部３６、センサ出力読込み部３７、コマンド実行部３８、制御信号生成部３９及び制御信号送信部４０を備える。副ソフトウェア部分読込み部３６、センサ出力読込み部３７、コマンド実行部３８、制御信号生成部３９及び制御信号送信部４０は、図２では、主ソフトウェア部分３５内に記載されているが、実際には、制御器１５のＣＰＵが制御ソフトウェア３４を実行するのに伴って、制御器１５の各機能として作動する。
【００４３】
図２に図示の副ソフトウェア部分４５の記述は、コマンドのリストで作成するインタプリタ型言語で記述されている。副ソフトウェア部分４５の記述のプログラミング言語は、その他として、手続型の関数を使うプログラミング言語や、オブジェクト型のクラスを使うプログラミング言語であってもよい。記述に使用するプログラミング言語は、前述したように、誰でもが知得自在に公開されているが、プログラミング言語の使用は、有料及び無料のどちらであってもよいとする。作成者は、使用料が有料であるプログラミング言語を使用して、副ソフトウェア部分４５を作成して、業として配布する場合には、所定の使用料をプログラミング言語の記述形式の著作権者に支払う必要がある。
【００４４】
副ソフトウェア部分４５において、各コマンド内の引数は、照明器具１６の照明光の複数の制御パラメータの値に対応付けられている。各コマンドは、１以上の制御パラメータを指定し、各コマンド内の各引数は、指定された各制御パラメータの値を決める。副ソフトウェア部分４５では、引数及びコマンドがデータとして格納される。プログラムは、引数のデータに関連付けて記述される。
【００４５】
各コマンド内の各引数の値は、制御パラメータの値に対応する。例えば、照明光の色のパラメータのコマンドに対して、引数の値は赤、青、緑の具体的な色を決める。例えば、１つのコマンドが、色及びパラメータ値の実行時刻の複数の制御パラメータを指定している場合、例えば、６：００ａ．ｍ．に照明器具の光の色を緑にする指示を照明器具に送るというように、副ソフトウェア部分４５内のコマンドが記述される。なお、パラメータ値の実行時刻には、実行開始時刻と実行終了時刻を別々に設定できるようにされる。
【００４６】
副ソフトウェア部分４５は、各副ソフトウェア部分提供サーバ４から種々のものが提供される。これに対し、主ソフトウェア部分３５は、上位互換のバージョンアップ版への変更の可能性はあるものの、種類としては１つに限定されている。制御ソフトウェア３４は、副ソフトウェア部分４５の内容に応じて、お目覚めソフト、リラックスソフト、及び生体リズムソフト等、多様な種類がある。また、同じお目覚めソフトであっても、提供者の相違により異なる特徴のものが作成され、配布される。ユーザは、好みの種類で好みの特徴の副ソフトウェア部分４５を選択して、自分の制御器１５に格納する。
【００４７】
図３は照明器具１６の構成を示している。照明器具１６は、制御信号受信部５６、光量制御部５７、色制御部５８、照射方向制御部５９及び光源ユニット６３を備える。光源ユニット６３は、光源６４と、光源６４の光としての照射光の所定の制御パラメータを機械的に制御する機構（図示せず）とを含む。図３の例では、照明器具１６は、照射光について光量（照度）、色及び照射方向の３つの制御パラメータで作動して、これにより、照射光の光量（照度）、色及び照射方向が変化する。制御信号受信部５６は、制御器１５から制御信号を受信して、制御信号に含まれる照明器具１６のパラメータ及びその値を抽出し、各パラメータに対応する光量制御部５７、色制御部５８又は照射方向制御部５９に、その値を送る。
【００４８】
光量制御部５７は、光源６４の給電電流を、光量の制御パラメータの値に対応する値に制御して、これにより、照射光の光量を制御する。光源６４の光量は、典型的には光源６４の供給電流量により制御される。色制御部５８は、照明器具１６からの照射光の色を、光量の制御パラメータの値に対応する色に制御する。具体的には、図３の光源ユニット６３では、光源６４は１つしか図示されていないが、照明器具１６内に赤、緑、青の３つの光源６４を光源ユニット６３内に配備する。そして、赤、緑、青の３つの光源６４の光量比を調整して、赤、緑、青の光の混合光としての照射光の色を変化させる。
【００４９】
照射方向制御部５９は、照明器具１６からの照射光の照射方向を、照射光の制御パラメータの値に対応する照射方向に制御する。具体的には、平面又は所定の凹面状の反射板を備える機構を、光源ユニット６３内に光源６４の背面側に配備し、反射板の位置や向きを該機構のアクチュエータ（図示せず）で調整できるようにする。そして、照射方向制御部５９からの制御信号によりアクチュエータを作動して、反射板の位置や向きを変えて、照射光の照射方向を変更することになる。
【００５０】
図４は制御器１５による照明光制御のフローチャートである。ＳＴＥＰ１では、制御器１５は、ユーザが選択した副ソフトウェア部分４５を識別する。各副ソフトウェア部分４５には、その作成者が自分の作成した副ソフトウェア部分４５を他の副ソフトウェア部分４５と区別するタイトル等が識別子として付けられる。制御器１５の内蔵又は外付けの不揮発性メモリには、複数のタイトルの副ソフトウェア部分４５が格納されている。
【００５１】
前述したように、各制御ソフトウェア３４は、共通の主ソフトウェア部分３５と、タイトルごとに異なる副ソフトウェア部分４５とから構成される。制御ソフトウェア３４の特徴は、副ソフトウェア部分４５によって決まる。制御ソフトウェア３４は、後述のＳＴＥＰ４において読込む副ソフトウェア部分４５の相違により、照明器具１６の照明光に対し異なる制御を実施する。
【００５２】
ユーザは、制御器１５の表示部の表示を見ながら、制御器１５のキーを操作して、実行する副ソフトウェア部分４５を選択する。ユーザは、実行期間が重ならなければ、複数の副ソフトウェア部分４５を選択することができる。例えば、平日は、お目覚めソフトＡが実行され、休日はお目覚めソフトＢが実行されるように、複数のお目覚めソフトを同時に選択することができる。また、翌朝にお目覚めソフトが実行開始されるように、時間予約するとともに、リラックスソフトが今から直ちに実行されるように、複数の副ソフトウェア部分４５を同時に選択することもできる。
【００５３】
具体的には、ユーザが、所望の１以上の副ソフトウェア部分４５を選択する際、制御器１５の表示部には、例えば、「お目覚めソフトＡ」、「お目覚めソフトＢ」、「リラックスソフトＡ」、・・・がリスト表示される。ユーザは、リストから所望の副ソフトウェア部分４５を１以上選択する。また、選択した副ソフトウェア部分４５について、直ちに実行せず、将来、実行させる場合には、副ソフトウェア部分４５の選択と一緒に、実行開始時刻を予約する。
【００５４】
ＳＴＥＰ２では、制御器１５は、制御ソフトウェア３４を実行開始する。制御ソフトウェア３４の実行開始は、制御器１５に対して次のＳＴＥＰ３の主ソフトウェア部分３５の読込み開始の指示を含む。制御ソフトウェア３４の実行開始は、ユーザによる制御器１５における実行開始指示がトリガになる。ただし、ユーザが時間予約した副ソフトウェア部分４５を含む制御ソフトウェア３４は、該時間予約した時刻になった時に、ＳＴＥＰ２が実行される。
【００５５】
ＳＴＥＰ３では、制御器１５は、主ソフトウェア部分３５を読込む。制御器１５は、主ソフトウェア部分３５の読込みに伴い、主ソフトウェア部分３５を実行する。主ソフトウェア部分３５には、ＳＴＥＰ１で識別した副ソフトウェア部分４５を読込む指令が含まれている。
【００５６】
ＳＴＥＰ４では、副ソフトウェア部分読込み部３６は、副ソフトウェア部分４５を読込む。ＳＴＥＰ５では、コマンド実行部３８は、副ソフトウェア部分４５の記述としてのコマンドを実行する。
【００５７】
ＳＴＥＰ６では、センサ出力読込み部３７は、気温センサ２０、日射しセンサ２１及びマイクロホン２２のセンサの検出値を読込む。前述のＳＴＥＰ５で実行したコマンドの内には、センサの検出値を読込むコマンドが含まれており、ＳＴＥＰ６は、このコマンドに基づいてセンサ出力読込み部３７が実施する。
【００５８】
ＳＴＥＰ７では、制御信号生成部３９は、副ソフトウェア部分４５の記述に対応する制御パラメータについて、該記述が指示した制御パラメータの値を含む制御信号を生成する。副ソフトウェア部分４５の記述に含まれる制御パラメータの値には、気温センサ２０等のセンサの検出値の関数として該検出値に基づいて設定されるものが存在する。それらについては、制御信号生成部３９は、ＳＴＥＰ６で読取ったセンサの検出値に基づいて制御パラメータの値を算出し、制御パラメータの値を、算出した値にした制御信号を生成する。なお、該関数は、ＳＴＥＰ５において読み込まれたコマンドに、検出値に対応する引数の関数として定義されている。
【００５９】
ＳＴＥＰ８では、制御信号送信部４０が、制御信号を照明器具１６へ無線で送信する。この制御信号は、図３で説明した照明器具１６の制御信号受信部５６により受信される。照明器具１６において、制御信号受信部５６は、制御信号から各制御パラメータの値を抽出し、各制御パラメータに対応する光量制御部５７、色制御部５８、又は照射方向制御部５９へ、抽出した値を送信する。この結果、照明器具１６からの照射光は、制御パラメータの値で照射される。
【００６０】
制御信号送信部４０は、副ソフトウェア部分４５の記述が指定する送信タイミングで、制御パラメータの値を指定する制御信号を送信するので、照明器具１６の照射光は、各制御パラメータの値を適宜切替えられる。照明器具１６において、制御パラメータの値での照射光の実行時刻は、照明器具１６の制御信号受信部５６が制御器１５から制御信号を受信した時刻になる。実行時刻は、開始の実行時刻と終了の実行時刻とを区別することができる。
【００６１】
副ソフトウェア部分４５の作成者は、副ソフトウェア部分４５がリラックスソフトである場合、外気温、陽射し及び／又は周囲音に応じて、照明光の色や向き等の照明器具１６のパラメータを制御できるように、コードとしての副ソフトウェア部分４５を記述することができる。
【００６２】
副ソフトウェア部分４５には、照明器具１６の照明光の値の指定の他に、楽曲プレーヤ２７に対する制御パラメータ（例：音量、指定楽曲、再生開始時刻、再生休止時刻、又は再生終了時刻）の値を含めることができる。これにより、副ソフトウェア部分４５が例えばお目覚めソフトである場合、照明器具１６による照明光の光量や色の制御に合わせて、楽曲プレーヤ２７から所定のサウンド（音楽）を所定の音量で流すことができる。
【００６３】
制御信号送信部４０は、ＳＴＥＰ８において、各照明器具１６別に異なる制御信号を送信することができる。これにより、同一部屋内の複数の照明器具１６から照明光を個別かつ並行して制御して、より複雑で高度な照明光パターンを室内に生成することができる。
【００６４】
なお、制御信号送信部４０が各照明器具１６の照明光別に異なる制御信号を送信する場合には、副ソフトウェア部分４５の記述には、どの照明器具の照明光に対するコマンドであるかが指定される。また、制御信号送信部４０は、各照明器具１６が自分宛ての制御信号であることが判別できるように、制御信号を送信する。制御信号送信部４０は、例えば、制御信号をパケット形態で生成し、各パケットのヘッダ部に宛て先の照明器具のＩＤを記載する。
【００６５】
ＳＴＥＰ９では、制御器１５は、照明光制御の終了条件が成立したか否かを判断し、成立したと判断した場合は、照明器具１６の照明光の制御を終了し、未成立であると判断した場合は、ＳＴＥＰ５へ戻り、照明器具１６の制御を継続する。該終了条件には、例えば、現在時刻が照明光制御の終了時刻を過ぎたこと、ユーザが照明光制御の終了を制御器１５において指示したこと、又は制御ソフトウェア３４の全処理が終了したことがある。
【００６６】
本発明の実施形態について説明したが、本発明は、これに限定されず、種々に変形して実施可能である。制御器１５は、本発明の制御部の一例である。副ソフトウェア部分提供サーバ４は、インターネット上の所定のサーバの一例である。制御器１５に着脱自在に装着される外付け型不揮発性メモリは、制御部がアクセス可能なメモリの一例である。
【００６７】
照明システム５は、複数の照明器具を装備するが、本発明は、照明器具を１つしか装備しない照明システムにも適用可能である。主ソフトウェア部分３５は、制御器１５のＯＳを兼ねてもよいし、ミドルウェアであってもよい。
【符号の説明】
【００６８】
２・・・インターネット、３・・・主ソフトウェア部分提供サーバ、４・・・副ソフトウェア部分提供サーバ、５・・・照明システム、１５・・・制御器（制御部）、１６・・・照明器具、２０・・・気温センサ（センサ）、２１・・・日射しセンサ（センサ）、２２・・・マイクロホン（センサ）、３４・・・制御ソフトウェア、３５・・・主ソフトウェア部分、４５・・・副ソフトウェア部分。
【図１】
2015064984.tif 000003
【図２】
2015064984.tif 000004
【図３】
2015064984.tif 000005
【図４】
2015064984.tif 000006